(57)【要約】【課題】犬のすり抜けが起こらず、犬の首や胸に力が加わることがなく呼吸器系統に負担をかけない引っ張り抑制機能付き胴輪を提供する。【解決手段】胴輪本体１は左右の脇腹部に摺動自在なリング７・７を備える。左右のリング７・７には１本ずつ帯状体３・３の一端が結着し、帯状体３・３の他端をリング７・７に挿通することで左右の脇腹部でループを形成する。左右のループにそれぞれ左右の前脚を入れて前脚が抜けないように調整具８・８でループ長を最適化し、帯状体３・３の他端の先端を背部でリードに連結する。犬が散歩者と並行すればリードがたるみ、ループも緩んで歩行を妨げないが、犬が引っ張るとループが前脚付け根を締めて動きを制約、引っ張りを抑制するが、首や胸に力が加わらないため呼吸器系統に負担をかけず、前脚がループから抜けないため犬が胴輪からすり抜けることがない。【選択図】図１
2019024474.tif 000002
【特許請求の範囲】
【請求項１】
左右の脇腹部にリング（７・７）を備える胴輪本体（１）と、リング（７・７）に一端を結着し他端をリング（７・７）に挿通してループを形成する左右２本の帯状体（３・３）を有する主に犬用の繋索具としての胴輪であって、胴輪本体（１）は中間部に胴囲に長さを合わせる調整具（６）を備えると共に両端に嵌脱自在の一対の接続具（５ａ・５ｂ）を結着し、左右２本の帯状体（３・３）はいずれも他端の中間部にループ長を調整する調整具（８・８）を備えると共に先端にリング（９・９）が結着し、胴輪本体（１）を胴体に装着して帯状体（３・３）が形成する左右のループにそれぞれ左右の前脚を入れて調整具（８・８）でループ長を最適化し、リング（９・９）を背部にまわしリードと連結することにより、首や胸に力が加わることがないことを特徴とする呼吸器系統に負担をかけない引っ張り抑制機能付き胴輪。
【請求項２】
帯状体（３・３）が形成する左右のループにそれぞれ左右の前脚を入れることにより、犬が引っ張った場合にループが前脚付け根を締めて前脚の動きを抑制しながら、首や胸に力が加わることがないことを特徴とする請求項１に記載の呼吸器系統に負担をかけない引っ張り抑制機能付き胴輪。
【請求項３】
帯状体（３・３）の幅はリング（７・７）の内径より狭く滑動するが、調整具（８・８）がリング（７・７）をすり抜けない大きさ、又は形状であることによりストッパーとなり、調整具（８・８）の位置をスライドさせることで帯状体（３・３）が形成するループ長を前脚が抜けないように最適化できることを特徴とする請求項１又は２に記載の呼吸器系統に負担をかけない引っ張り行動抑制機能付き胴輪。
【請求項４】
リング（７・７）は挿通された短尺狭幅帯状体（２・２）の両端を胴輪本体（１）の脇腹部に縫着することで摺動自在な状態で胴輪本体（１）と繋がり、帯状体（３・３）が形成するループの位置が犬の胴囲に応じて調節されると共に、前脚の動きに連動することを特徴とした請求項１又は２又は３に記載の呼吸器系統に負担をかけない引っ張り行動抑制機能付き胴輪。
【発明の詳細な説明】
【技術分野】
【０００１】  本発明は、犬のすり抜けが起こらず散歩者が安全に散歩できる着脱容易な胴輪でありながら、犬の首や胸に力が加わることがなく呼吸器系統に負担をかけない引っ張り抑制機能付き胴輪に関するものである。
【技術背景】
【０００２】  従来、散歩用の犬の繋索具として首輪や胴輪があり、合成繊維や皮革、合成樹脂の帯状体或いは紐体、又はこれらの組み合わせで形成される。
【０００３】  気管支まわりに装着し首に力が集中する首輪に比べ、胴輪は犬の体と接する面積が広くかかる力を分散するものとされているが、特許文献１、特許文献２、特許文献３が示すように犬の胴のほか胸又は首に紐体、又は帯状体、又はベルト部をまわす構造となっており、特許文献４は首や胴にストラップを装着しない代わりに胸と腹に帯状体を取り付けている。
【０００４】  しつけ機能をうたう繋索具は、特許文献５、特許文献６、非特許文献１の胴輪タイプがあるほか、犬の口まわりに取り付ける非特許文献２がある。
【先行技術文献】
【特許文献】
【０００５】
【特許文献１】特開２０００−２６２１７８号公報
【特許文献２】特開２００２−３６０１０２号公報
【特許文献３】特開２００２−３３０６５９号公報
【特許文献４】特開２０１４−１６１３３１号公報
【特許文献５】特開２０１０−２７９３１２号公報
【特許文献６】特開２０１３−２１９９１号公報
【非特許文献】
【０００６】
【非特許文献１】「引っ張り抑止胴輪」，レッドハート株式会社
【非特許文献２】「ジェントル・リーダー」，ファイン・フィービ（ネット販売）
【発明の概要】
【発明が解決しようとする課題】
【０００７】  従来技術によれば、いずれも犬の首、又は胸に力が加わることなく犬の引っ張りを抑制することはできなかった。【０００８】  特許文献１、又は特許文献２であれば、紐体、又は帯状体を首にまわしており、紐体、又は帯状帯に力が加われば首に力が加わる構造であり、引っ張り抑制機能は有していない。【０００９】  特許文献３であれば、首輪部分、胴輪部分、胸腹部分を一連に幅広に形成した胴輪であり、首と胸に力が加わる構造で引っ張り抑制機能は有していない。【００１０】  特許文献４であれば、首に輪をまわさないものの、幅広帯状体が胸に包接し胸に力が加わる構造で、引っ張り抑制機能は有していない。【００１１】  特許文献５、特許文献６は引っ張り抑制機能を有しているとするが、首輪が胴輪の構造の一部となっており、犬の首への負担が解消されていない。【００１２】  非特許文献１であれば、胸にストラップをまわして胸の前部でリードとつなぐ構造のため、胸を圧迫することは少ないものの、散歩時にリードを弛ませすぎると犬の前脚がリードに絡みつく危険があり、散歩者が常にリードの弛ませ具合を気に掛けるわずらわしさがある。【００１３】  非特許文献２であれば、犬の口まわりと後頭部にストラップを取り付け口まわりにリードが連結する構造となっており、犬の行動を制御する際に間接的に首に力が加わるほか、特徴的な外観は散歩者にとって人目が気になり、楽しく散歩するため繋索具として使いにくい。【００１４】  本発明は、上記の問題点を解決するためになされたものであり、犬の首や胸に力が加わることなく引っ張りを抑制し、かつ装着時の見栄も損なわずに散歩ができる、呼吸器系統に負担をかけない引っ張り抑制機能付き胴輪を提供することにある。
【課題を解決するための手段】
【００１５】  本発明による胴輪は、左右の脇腹部にリング７・７を備える胴輪本体１と、リング７・７に一端が結着し他端をリング７・７に挿通してループを形成する左右２本の帯状体３・３を有する。胴輪本体１を胴体に装着すると共に、帯状体３・３が形成する左右のループにそれぞれ左右の前脚を入れた上で帯状体３・３の他端を背部にまわし、他端の先端に結着したリング９・９でリードと連結する。【００１６】  胴輪本体１には長さ調整具６が備わり犬の胴囲に適合させることができる。帯状体３・３にはリング７・７をすり抜けることがない大きさ、又は形状の調整具８・８が備わり、位置をスライドさせることで形成するループ長を調節して前脚が抜けるのを防ぐ。【００１７】  リング７・７には短尺狭幅帯状体２・２が挿通され、短尺狭幅帯状体２・２の両端を胴輪本体１の脇腹部に縫着することでリング７・７は摺動自在な状態で胴輪本体１と繋がる。これにより帯状体３・３が形成するループの位置が犬の胴囲に応じて調節されると共に、前脚の動きに連動する。
【発明の効果】
【００１８】  本発明による胴輪は犬の首や胸に帯状体を装着しないため、これら部位に力が加わらず、呼吸器系統の弱い犬や体力の衰えた高齢犬にも安心して装着できる。【００１９】  犬が散歩者を引っ張った場合はリードが緊張し、リードと連結した左右２本の帯状体３・３が形成する左右のループが前脚付け根を締め付けて動きを制約、引っ張りを抑制する。【００２０】  犬が引っ張りをやめて散歩者と並行すればリードがたわむと共に、ループも緩んで前脚付け根の締め付けを解くため犬は歩行の自由を妨げられず、引っ張りが不快であることを学習する効果が期待できる。【００２１】  ループは調整具８・８で前脚が抜けないように長さが最適化されるため、犬が散歩者と並行すれば胴輪からすり抜けることはなく、引っ張ったり後ずさりしたりする場合はループが前脚付け根を締め付けるため、犬が胴輪からすり抜けることがない。【００２２】  上記のように呼吸器系統に負担をかけずに引っ張りを抑制する機能を有し、かつ装着時のすり抜けを防止しながら、装着の手順は、胴体に胴輪本体１を装着し、左右２本の帯状体３・３が形成する左右のループにそれぞれ左右の前脚を入れて調節具８・８をスライドさせてループ長を最適化、帯状体３・３の先端に結着したリング９・９を背部にまわしてリードに連結するだけであり、取り付けの煩わしさがない。【００２３】  本発明による胴輪は、構造及び外観上、装着しても引っ張りを抑制するしつけ機能が強調されることがなく、従来技術による首輪や胴輪を使っていた散歩者でも周囲の目を気にすることなく使用できる。
【図面の簡単な説明】
【００２４】
【図１】  本発明の胴輪の一部を分解した状態の説明図。
【図２】  本発明の胴輪を犬に装着した状態の説明図。
【図３】  本発明の胴輪を装着した犬が引っ張った場合の動作状況を示す説明図。
【図４】  装着した犬が立ち止まる又は後ずさりした場合の動作状況を示す説明図。
【図５】  本発明の胴輪のループを前脚に外回りで装着した状態を示す説明図。
【図６】  本発明の胴輪のループを前脚に内回りで装着した状態を示す説明図。
【発明を実施するための形態】
【００２５】  以下、本発明の実施の形態について説明する。
【００２６】  図１に示すとおり、帯状体の胴輪本体１には長さ調整具６が備わり、胴囲に合わせた長さに調整可能となっている。
【００２７】  胴輪本体１の一端には連結具５ａが結着し、もう一端には連結具５ｂが結着する。連結具５ａと連結具５ｂは嵌脱自在の一対の連結具で、これらを連結することで胴輪本体１を胴体に着脱する。
【００２８】  胴輪本体１の左右の脇腹部にリング７を設ける。リング７は短尺狭幅帯状体２を挿通し、短尺狭幅帯状体２の両端を胴輪本体１の脇腹部に縫着することにより摺動自在となる。
【００２９】  リング７には帯状体３の一端が結着し、他端をリング７に挿通することでループを形成し、他端の先端にはリング９が結着する。
【００３０】  帯状体３はループを形成する箇所において幅広クッション材４に挿通される。
【００３１】  帯状体３は、リング７に挿通した他端の途中に調整具８を備える。帯状体３の幅はリング７の内径より狭く滑動するが、調整具８はリング７をすり抜けない大きさ、又は形状を有し、その位置をスライドさせることでループ長を調節できる。
【００３２】  リング７は胴輪本体１の左右の脇腹部に設けられ、各リング７に帯状体３が１本ずつ結着することで胴輪本体１の左右の脇腹部にループが形成されることになる。
【００３３】  本発明による胴輪を使用するときは、犬の胴体に胴輪本体１を装着すると共に、左右の脇腹部で帯状体３・３により形成された２つのループにそれぞれ左右の前脚を入れて、ループから前脚が抜けたり、たるんで関節部や脚先に絡まったりしないよう調整具８・８でループ長を最適化し、帯状体３・３の他端を背部にまわし、先端に結着したリング９・９をリードと連結する。
【００３４】  犬が散歩者と並行する場合はリードがたわんでループも緩み、ループは帯状体３が摺動自在なリング７に挿通され形成されることから前脚に連動して前脚の動きを妨げずスムーズな歩行が可能となるが、図３に示すとおり、犬が引っ張った場合は矢印方向１０に力が加わり、ループが前脚付け根を締めて前脚の動きを制約することで引っ張りを抑制する。
【００３５】  犬が引っ張った場合にループが締めるのは前脚付け根であり、しつけ機能をうたう従来技術の繋索具のように首や胸に力は加わらず、呼吸器系統に負担をかけることがない。
【００３６】  ループ長を最適化することにより、犬が引っ張った場合にループが前脚の関節部や脚先を締めたりすることがなく、帯状体３が挿通されたクッション材４によって前脚付け根にループが食い込み犬の体を傷つけることもない。
【００３７】  犬が引っ張った場合はループが前脚付け根を締めるため前脚が抜けず、犬が胴輪からすり抜けることがない。
【００３８】  図４に示す通り、犬が立ち止まる、あるいは後ずさりした場合は矢印方向１１の力が加わるため図３と同様に前脚付け根が締まり、犬が胴輪からすり抜けることがない。
【００３９】  本発明による胴輪は外観上、引っ張り行動を抑制するしつけ機能を有する繋索具であることが強調されず、散歩者が人目を気にすることなく既存の首輪や胴輪と同じように使用できる。
【００４０】  なお、帯状体３は、図５に示す通り前脚の内側から外側にまわすようにループを形成する方法と、図６に示す通り前脚の外側から内側にまわすようにループを形成する方法がある。
【００４１】  なお、帯状体３の一端は、リング６に結着する方法のほか、胴輪本体１の脇腹部に縫着する方法がある。
【００４２】  なお、帯状体３は紐体で代替することができる。
【符号の説明】
【００４３】    １      胴輪本体
２      短尺狭幅帯状体
３      帯状体
４      クッション材
５ａ    連結具
５ｂ    連結具
６      調整具
７      リング
８      調整具
９      リング
１０    力が加わる方向
１１    力が加わる方向
【図１】
2019024474.tif 000003
【図２】
2019024474.tif 000004
【図３】
2019024474.tif 000005
【図４】
2019024474.tif 000006
【図５】
2019024474.tif 000007
【図６】
2019024474.tif 000008